(57)【特許請求の範囲】
【請求項１】
レール１，２で囲まれる遊技領域３３内に各種の入賞口３５，３７、アタッカー装置３８を配設すると共に、多数本の遊技釘を配置した遊技盤２１と、該遊技盤２１の前側に開閉可能に組付けられたガラス扉２２とを備え、発射ハンドル３０の操作に基づく打球発射作動により、機内に循環可能に封入された所定数のパチンコ球を１個ずつ前記遊技盤２１の遊技領域３３内に打込んで遊技を展開する一方、遊技盤２１のアウト口４４から排出される遊技終了済みのパチンコ球を順次回収して再使用する封入式のパチンコ機において、
前記遊技盤２１のレール１の中央最下部位置で、かつ前記アウト口４４の入口の前側下方部に、遊技終了済みとして排出予定の少なくとも１個のアウト球Ｂを没入状態で受入れ得る球収容凹部３が形成されて、該球収容凹部３内に入ったアウト球Ｂを、遊技者に対する入賞サービス球として該球収容凹部３に停留させて前記アウト口４４に対して通出不能状態に保持可能にすると共に、少なくとも１個のアウト球Ｂの前記停留状態において他のアウト球Ｂは、前記アウト口４４に対して通出可能にする構成であって、
前記球収容凹部３の近傍に該球収容凹部３内に停留状態で保持されたアウト球Ｂの有無を検出する球検出センサＳが設置されていることを特徴とするパチンコ機。
【請求項２】
前記球収容凹部３は、前記レール１の中央最下部に一連に折曲形成された凹形部分により１個のアウト球Ｂを没入状態で収容保持し得る深さに開口形成されていることを特徴とする請求項１に記載のパチンコ機。
【請求項３】
前記球検出センサＳは、前記球収容凹部３の直下部に配置された光検出方式のセンサであって、その検出光は、該球収容凹部３の底板部３ａに開口された光透過孔４を通る構成であることを特徴とする請求項１又は２に記載のパチンコ機。
【請求項４】
前記球収容凹部３には、規制片４８が前向き突出状に配置されて、前記球収容凹部３に収容されて前記規制片４８に当接したアウト球Ｂと、ガラス扉２２の奥側のガラス板２２ａとの間には、他のアウト球Ｂが収容不能な構成になっていることを特徴とする請求項２に記載のパチンコ機。
【発明の詳細な説明】
【０００１】
【発明の属する技術分野】
本発明は、封入された所定数のパチンコ球を循環させて使用するパチンコ機器において、アウト球を停留させて、入賞サービス球として使用可能にしたパチンコ機に関するものである。
【０００２】
【従来の技術】
例えば、一般のパチンコ機においては、遊技盤面の釘等にパチンコ球が引っ掛かるというトラブルが発生した場合には、ホールの店員がガラス扉を開いて、引っ掛かったパチンコ球を除去した後に、遊技者の持球から、１ないし数個のパチンコ球（「サービス球」と称されている）を入賞口に入れるサービスを行っている。
【０００３】
一方、所定数のパチンコ球が循環可能に封入された封入式のパチンコ機においては、パチンコ機の内部に収容された所定数（少数）のパチンコ球が循環使用されるために、前記サービス球の入手が問題となる。ホールの店員が常時少数のサービス球を持ち歩くことが考えられるが、この方法は、店員に余分の負担を強いることになると共に、前記入賞サービスの都度、封入パチンコ球の総数が増え、これが原因となって、パチンコ球の過剰増加によるパチンコ機のトラブルが懸念される。
【０００４】
また、別の方法として、ガラス扉を開いた状態で、パチンコ球を発射して、これを掴み取ってサービス球とすることが考えられるが、ガラス扉が開いているために、封入されているパチンコ球が外部に飛び出る等して紛失し、封入パチンコ球の総数が減ぜられる問題がある。これを防止するために、特開平7-194826号、同9-47560 号等の公報において、操作によって封入パチンコ球を遊技盤面に導いて、入賞サービスを行うことが提案されているが、その機構が複雑となる欠点がある。
【０００５】
【発明が解決しようとする課題】
本発明は、封入された所定数のパチンコ球を循環させて使用するパチンコ機器において、１ないし複数個のアウト球を停留させておいて、これをサービス球として使用可能にすることを課題としている。
【０００６】
【課題を解決するための手段】
上記課題を解決するための請求項１の発明は、レールで囲まれる遊技領域内に各種の入賞口、アタッカー装置を配設すると共に、多数本の遊技釘を配置した遊技盤と、該遊技盤の前側に開閉可能に組付けられたガラス扉とを備え、発射ハンドルの操作に基づく打球発射作動により、機内に循環可能に封入された所定数のパチンコ球を１個ずつ前記遊技盤の遊技領域内に打込んで遊技を展開する一方、遊技盤のアウト口から排出される遊技終了済みのパチンコ球を順次回収して再使用する封入式のパチンコ機において、前記遊技盤のレールの中央最下部位置で、かつ前記アウト口の入口の前側下方部に、遊技終了済みとして排出予定の少なくとも１個のアウト球を没入状態で受入れ得る球収容凹部が形成されて、該球収容凹部内に入ったアウト球を、遊技者に対する入賞サービス球として該球収容凹部に停留させて前記アウト口に対して通出不能状態に保持可能にすると共に、少なくとも１個のアウト球の前記停留状態において他のアウト球は、前記アウト口に対して通出可能にする構成であって、前記球収容凹部の近傍に該球収容凹部内に停留状態で保持されたアウト球の有無を検出する球検出センサが設置されていることを特徴としている。よって、請求項１の発明においては、遊技開始後において、最初、或いはその後の数個以内のアウト口から排出予定の１ないし複数のアウト球は、前記球収容凹部に落ち込んで、そのまま停留され、前記球収容凹部に対してアウト球が最大個数だけ停留すると、以後のアウト球は、そのままアウト口から遊技領域外に排出される。
【０００７】
また、請求項１の発明によれば、遊技者の持球を使用したり、或いは持球数を減ずることなく、必ず存在していて、しかも無価値となったアウト球を入賞サービス球として使用できるので、遊技者にとっては、満足度が高まると共に、ホール側にとっては、店員が入賞サービス球を持ち歩いたり、発射操作により入賞サービス球を得る等の面倒な操作が不要となる。特に、従来から複雑な機構により、循環球を遊技盤面に導いていたのに比較して、単にガラス扉を開くのみで、アウト口の入口部に設けられた球収容凹部に収容されているアウト球を入賞サービス球として取り出すことができるという独自の効果がある。更に、請求項１の発明によれば、アウト口の近傍に停留しているアウト球の有無を検出する球検出センサが設けられているので、停留中のアウト球の球数検出が可能となる。この結果、アウト球と入賞球と停留球の各数の和は、遊技領域に発射された総球数であるために、該総球数と、発射球数からファール球数を減じた球数を比較することにより、パチンコ機の状態を判断できる。即ち、前者と後者の数が等しい場合は、正常であると判断され、前者よりも後者の方が大きい場合には、遊技領域のいずれかの部分にパチンコ球が引っ掛かっている可能性があると判断され、更に、前者が後者よりも大きい場合には、不正操作が行われた可能性があると判断される。
【０００８】
また、請求項２の発明は、請求項１の発明において、前記球収容凹部は、前記レールの中央最下部に一連に折曲形成された凹形部分により１個のアウト球を没入状態で収容保持し得る深さに開口形成されていることを特徴としている。請求項２の発明によれば、レールの形状を変更させるのみで、球収容凹部を形成できる利点がある。
【０００９】
また、請求項３の発明は、請求項１又は２の発明において、前記球検出センサは、前記球収容凹部の直下部に配置された光検出方式のセンサであって、その検出光は、該球収容凹部の底板部に開口された光透過孔を通る構成であることを特徴としている。請求項３の発明によれば、無接触で、しかも確実にアウト球の検出が可能となる。
【００１０】
また、請求項４の発明は、請求項２の発明において、前記球収容凹部には、規制片が前向き突出状に配置されて、前記球収容凹部に収容されて前記規制片に当接したアウト球と、ガラス扉の奥側のガラス板との間には、他のアウト球が収容不能な構成になっていることを特徴としている。請求項４の発明によれば、球収容凹部に、１個のみのアウト球を確実に収容可能となる。
【００１１】
【発明の実施の形態】
以下、実施例を挙げて、本発明を更に詳細に説明する。最初に、請求項１に係る発明を実施した封入式のパチンコ機の正面図である図１を参照して、その概略構成について説明し、その後に、本第１実施例の特徴を構成する部分について詳細に説明する。封入式のパチンコ機とは、持球に交換可能な金額等の有価価値が記憶されたゲーム専用のカードを使用して、持球数、打球残数等の球管理を行って、機内に封入された所定数のパチンコ球を循環させて遊技を行うものである。図１において、遊技盤２１の前面を覆っているガラス扉２２の直下には、操作パネル２３が配置され、該操作パネル２３の部分には、カードリード・ライトユニット２４と、表示パネル２５とが横方向に並んで配設されている。
【００１２】
前記カードリード・ライトユニット２４には、カード挿脱口２６が水平に設けられ、その側方に、該カード挿脱口２６に挿入したカードを取り出すためのカード取出ボタン２７が設けられ、前記カード挿脱口２６の下方には、ゲームの開始を表明して、記録金額に対応する持球数から所定数を引き落として打球残数を加算させるための引落しボタン２８と、ゲームの終了を表明する終了ボタン２９とが設けられている。そして、ゲームを開始するために、カード挿脱口２６にカードを挿入すると、引落し処理が行われて、カードリード・ライトユニット２４によって、該カードの持球数が読み取られ、引き続いて引落しボタン２８を押すと、該引落しボタン２８の押し回数に対応する引落し数が入力されて、カードの持球数から前記引落し数が減算されると同時に、枠制御部のメモリーにデータとして記憶されている打球残数（遊技開始時においては零）に前記引落し数が加算された後に、カードが返却される。
【００１３】
そして、遊技中においては、枠制御部のメモリーに打球残数があるか否かを判断して、打球残数がある場合には、発射可能となって、１発射毎に打球残数が１ずつ減じられて、打球残数が零となるまで、パチンコ球が発射される。また、パチンコ球が特定の入賞口（後述する始動入賞口３５、一般入賞口３７、アタッカー装置３８の大入賞口３９等）に入賞した場合には、入賞口毎に設定された賞球数が前記メモリーに加算される。更に、遊技を終了する場合には、カード挿脱口２６にカードを挿入して、終了ボタン２９を押すと、カードリード・ライトユニット２４によって、前記メモリーに記憶されている打球残数に相当する個数が持球数に加算されると共に、該メモリーに記憶されている打球残数がクリアされて、カードが返却される。なお、パチンコ機内を循環する所定数の実球は、予め封入されていて、カードによる球管理の対象とならない。
【００１４】
一方、遊技盤２１の構成は、一般のパチンコ機のそれとほぼ同一であって、内外の各レール１，２の間に、発射されたパチンコ球の発射通路３１が形成されて、内外の各レール１，２と、右側の装飾部材３２とで囲まれる領域が遊技領域３３を形成しており、該遊技領域３３内に、必要な役物装置が配設されている。即ち、遊技領域３３の中央部に特別図柄表示装置３４が配設されて、その直下に、該特別図柄表示装置３４を始動させる始動入賞口３５が配設され、前記特別図柄表示装置３４の下端部の両側には、それぞれ通過ゲート３６が配設されていると共に、前記始動入賞口３５の両側には、それぞれ一般入賞口３７が配設されている。また、前記特別図柄表示装置３４が特定の表示態様になると、特定遊技状態となって、前記始動入賞口３５の直下に配設されたアタッカー装置３８の大入賞口３９が所定時間、或いは所定個数の入賞球が発生するまで、開いた状態を維持するようになっている。また、内レール１の最も低い部分であって、前記アタッカー装置３８の直下には、アウト球を排出させるアウト口４４が設けられている。なお、図１において３０は、発射ハンドルを示す。
【００１５】
また、図２は、アウト口４４の直前に設けられた球収容凹部３の部分の斜視図であり、図３は、同じく正面図であり、図４は、図３のＸ−Ｘ線断面図である。図２ないし図４に示されるように、パネル４１におけるアウト口４４の上縁よりも下方の部分は、その前面側に所定厚（５ｍｍ程度）の薄板部４２を残してルーター穴４３が設けられ、前記薄板部４２には、遊技領域３３内に発射されるパチンコ球のうち、いずれの入賞口にも入らなかったアウト球Ｂを外部に排出させるアウト口４４が設けられている。このアウト口４４は、前記アタッカー装置３８の直下に配置されて、正面視において、円弧状にわん曲された前記内レール１の最も低い部分と干渉している。
【００１６】
また、本発明の第１実施例においては、円弧状にわん曲された内レール１の最も低い部分であって、前記アウト口４４の直前の部分には、１個のアウト球Ｂが収容可能な球収容凹部３が設けられている。この球収容凹部３は、正面視において、その上部の一部のみが前記アウト口４４と干渉していて、残りの部分は、その背面側に、後述の規制片４８が配置されているために、該球収容凹部３に落ち込んで収容されたアウト球Ｂは、アウト口４４から排出されずに、そのまま停留する。また、内レール１における前記球収容凹部３の外側には、アウト口４４の側に向けて、その幅で広くなった球排出案内凹部４６が設けられている。この球排出案内凹部４６は、パチンコ機において、従来から設けられているものであって、内レール１の最も低い部分に達したアウト球を前記アウト口４４に向けて排出案内するための部分である。また、アウト口４４の周囲は、化粧板４７により囲まれていて、該化粧板４７における前記球収容凹部３に臨む部分には、板面に対して直角に折り曲げられた規制片４８が前記球収容凹部３に入り込んだ状態で配設されている。この規制片４８の存在によって、前記球収容凹部３に収容されるアウト球Ｂは、前記ガラス扉２２を構成する奥側のガラス板２２ａに近接して収容されて、前記凹部３に収容されたアウト球Ｂの上面側と奥側のガラス板２２ａとの間に、他のアウト球Ｂが更に停留しないようにしてある。
【００１７】
また、内レール１の前記球収容凹部３の底板部３ａには、光を透過させる光透過孔４が設けられていて、前記底板部３ａの直下には、光検出方式の近接スイッチから成る球検出センサＳが配置されている。このため、前記球収容凹部３にアウト球Ｂが収容されると、該アウト球Ｂによって前記光透過孔４が塞がれて、この状態が、前記球検出センサＳにより検出されて、該球収容凹部３にアウト球Ｂが収容されたことが検出される構成になっている。なお、本実施例では、光検出方式の近接スイッチを用いたが、インダクタンスの変化を用いて被検出物を検出するスイッチや、機械的なスイッチを用いても差支えない。
【００１８】
そして、発射通路３１を通って遊技領域３３にパチンコ球が発射されて、いずれの入賞口にも入らなかったアウト球は、前記遊技領域３３の最も低い部分であるアウト口４４の周辺に流下して、当該部分に配置された内レール１に案内されて、アウト口４４の直前に達した後に、内レール１の最も低い部分に設けられた前記球排出案内凹部４６を通ってアウト口４４に導かれて、遊技領域３３の外部に排出される。
【００１９】
このため、遊技開始後において、最初の１個のアウト球Ｂ、或いはその後の数個以内のアウト口４４から排出予定の１個のアウト球Ｂが、前記球収容凹部３に落ち込んで収容されると、該アウト球Ｂは、そのまま停留して、後続のアウト球Ｂは、球収容凹部３に収容された他のアウト球Ｂの両側方、或いはその上方を通過して、アウト口４４に導かれて、遊技領域３３の外部に支障なく排出される。また、球収容凹部３にアウト球Ｂが収容されると、前記球検出センサＳによって、前記収容状態が検出されるのは、上述の通りである。
【００２０】
よって、封入式のパチンコ機において、遊技盤面の遊技釘４０等にパチンコ球が引っ掛かるというトラブルが発生した場合には、ホールの店員がガラス扉２２を開いて、球収容凹部３に収容されているアウト球Ｂを拾い上げて、いずれかの入賞口に入れることにより、遊技者の持球数を減らすことなく、入賞サービスを実施できる。また、ガラス扉２２を開いている状態において、封入パチンコ球の発射操作、封入パチンコ球を遊技盤面に導き出す操作等の封入パチンコ球を積極的に操作することは全くないので、ガラス扉２２を開いても、封入パチンコ球が外部に飛び出て紛失する恐れは、全くない。また、ガラス扉２２は、二重ガラス板構造になっているため、２枚のガラス板２２ａ（図４参照）を備えており、ガラス扉２２の下端（図３で直線Ｌで示される位置）は、高さ方向に沿って球収容凹部３の中央部に位置しているために、前記球検出センサＳは、遊技者からは、視認されない。
【００２１】
一方、内レール１の球収容凹部３の直下に球検出センサＳが配設されていて、該センサＳによって、球収容凹部３に収容されて停留しているアウト球Ｂの有無が検出されるので、ホール側は、アウト球Ｂの停留状態を含めたパチンコ機の遊技状態を把握できる。即ち、内レール１の球収容凹部３に収容されて停留しているアウト球の数（上記実施例では「１」）を「停留球数」とすると、遊技中（パチンコ球発射中）においては、次の式１が成立する。
【００２２】
発射球数−ファール球数＝有効球数＝アウト球数＋停留球数＋セーフ球数＋流下中球数・・・・式１
【００２３】
また、パチンコ球発射停止後の所定時間が経過した後においては、次の３つの式のうちいずれかが成立する。
【００２４】
発射球数−ファール球数＝有効球数＝アウト球数＋停留球数＋セーフ球数・・・・・・・・・・式２
発射球数−ファール球数＝有効球数＜アウト球数＋停留球数＋セーフ球数・・・・・・・・・・式３
発射球数−ファール球数＝有効球数＞アウト球数＋停留球数＋セーフ球数・・・・・・・・・・式４
【００２５】
そして、式２が成立する場合は、遊技領域３３に発射されたパチンコ球の総数（有効球数）は、アウト口４４に入った球数（アウト球数）と、球収容凹部３に収容されて停留している球数（停留球数）と、各入賞口に入賞した球数（セーフ球数）の和に等しくなるために、遊技者が外部のパチンコ球を不正に入賞口に入れたり、遊技に使用されたパチンコ球が遊技盤面の釘等に引っ掛かっていることはないので、正常と判断される。また、式３が成立する場合には、有効球数よりも、アウト球数と停留球数とセーフ球数との和が多くなっているために、外部のパチンコ球を故意に入賞口に入れて入賞操作をした可能性があるために、不正の可能性があると判断される。更に、式４が成立する場合には、有効球数が、アウト球数と停留球数とセーフ球数との和よりも多くなっているために、遊技領域に発射されたパチンコ球が遊技盤面に引っ掛かっている可能性があると判断される。
【００２６】
そして、正常の場合を除く、２つの状態が発生した場合には、ホール側は、その状態に対応した行動を取ることができる。即ち、遊技盤面にパチンコ球が引っ掛かっている可能性がある場合には、ホールの店員が該当のパチンコ機の遊技盤面を確認して、ガラス扉２２を開いて、釘等に引っ掛かっているパチンコ球を取り除いて、内レール１の球収容凹部３に収容されて停留しているアウト球Ｂを取り出して、所定の入賞口に入れて入賞サービスを行うことができる。また、不正の可能性がある場合には、該当のパチンコ機に不正が行われる原因はないか否かの確認、該当パチンコ機を使用していた直前の遊技者の探索等の行動を取ることができる。
【００２７】
また、図５は、本発明の第２実施例の部分正面図である。前記第１実施例は、内レール１に、アウト球Ｂを１個のみ収容して停留可能な球収容凹部３を設けたものであるが、第２実施例は、内レール１に、アウト球Ｂを同時に２個収容して停留可能な球収容凹部３’が設けられており、該球収容凹部３’の底板部３'aは、その中央部にアウト球Ｂが停留したままになるのを防止するために、中央部が中高に成形されて、左右の各収容部の底板部３'aには、それぞれ光透過孔（図示せず）が設けられて、各光透過孔の直下に球検出センサＳが配設されている。よって、球収容凹部３’に落ち込んだアウト球Ｂは、そのいずれか一方の収容部に必ず収容されて、その直下に配設された球検出センサＳにより、収容されたアウト球Ｂの存在が確認可能になっている。このように、本発明の第２実施例によれば、２個のアウト球Ｂを同時に停留させられるので、遊技者の持球数を減らすことなく、２個同時に入賞サービスを行える利点がある。
【００２８】
また、本発明の第１及び第２のいずれの実施例においても、アウト口４４の大きさは、既存のまま（アウト球Ｂが同時に３個通過できる大きさ）で実施できる利点がある。
【００２９】
引き続いて、図６及び図７を参照して、本発明の第３実施例について説明する。内レール１の最も低い部分には、２個のアウト球Ｂを収容可能な浅い凹部１１が設けられて、該凹部１１に、Ｔ字状をした係止部材１２が平面視においてＴ字状となるように配置固定されている。即ち、Ｔ字状の係止部材１２は、セパレート板部１２ａと、アウト球Ｂの落下を防止する落下防止板部１２ｂとで構成されて、該落下防止板部１２ｂがアウト口４４’の入口に臨むようにして、奥側に配置されて、セパレート板部１２ａが前記凹部１１の左右方向（横方向）の中央部に配置されることにより、２個のアウト球Ｂは、前記凹部１１に部分収容された状態で、Ｔ字状の係止部材１２に係止されることにより、その位置で停留可能となる。また、前記凹部１１の深さと、前記係止部材１２の配置状態での高さは、該凹部１１にアウト球Ｂが収容された状態において、他のアウト球Ｂが衝突しても、該凹部１１から飛び出ない程度の寸法に設定してある。また、前記凹部１１の底板部１１ａには、それぞれ光透過孔１３が設けられて、その直下に球検出センサＳが配設されている構成は、本発明の前記各実施例と同一である。
【００３０】
このため、本発明の第３実施例においても、内レール１の最も低い部分に２個のアウト球Ｂを停留させられ、しかも２個のアウト球の停留状態において、他のアウト球Ｂは、支障なくアウト口４４’から排出される。このため、遊技中において、パチンコ球が遊技盤面に引っ掛かった場合には、ガラス扉２２を開いて、係止部材１２に引っ掛かった状態で停留中のアウト球Ｂを拾い上げて、所定の入賞口に入れることにより、遊技者の持球数を減らすことなく、入賞サービスを行える。更に、係止部材１２は、平面視でＴ字状となるように配置されるために、ほぼ全方向から流下するアウト球Ｂの停留が可能となる。
【００３１】
ところで、ガラス扉２２を開放して、入賞サービスを行う点に関して、従来においては、ガラス扉の開放を検出するためのスイッチを設けて、ガラス扉が開放されると、ランプが点灯する等して注意を喚起することは実施されていたが、上述の入賞サービスを行う必要から、ガラス扉が開放された状態において、人為的に行う入賞処理は、有効な行為と扱わざるを得なかった。このため、ガラス扉の開放状態において、人為的な入賞処理を不正行為と扱って、該入賞処理を無効とする不正対策は行えなかった。
【００３２】
しかし、本発明においては、球検出センサによって、アウト口の近辺に停留中のアウト球の数を正確に検出可能な構成となっているので、ガラス扉を開放した状態における入賞処理は、無効となる構成にしても、前記球検出センサにより検出されたアウト球を使用した入賞処理のみに関しては、有効（正規の入賞処理）として扱うことが可能となる。換言すれば、球検出センサによって停留状態が確認されているアウト球を用いた入賞処理は、該球検出センサによって、直前まで存在していたアウト球が無くなったことを検出できるので、有効と扱うが、球検出センサによって停留状態を管理されていない他のパチンコ球を使用した入賞処理は、不正と扱うことが可能となるので、ガラス扉を開いた状態で行われる不正入賞処理が検出可能となって、不正対策に対応可能となる。
【００３３】
【００３４】
更に、上記各実施例では、いずれも内レール１におけるアウト口４４の直前の部分に球収容凹部３，３’を設けた例であるが、アウト口４４の内部にアウト球Ｂを停留させる収容凹部を設けることも可能である。
【００３５】
【発明の効果】
本発明は、封入式のパチンコ機において、アウト口の入口に設けられた球収容トヴ部に１ないし複数個のアウト球を停留させておいて、単にガラス扉を開くのみで、アウト口の入口部に設けられた球収容凹部に収容されているアウト球を入賞サービス球として取り出すことができる構成であるので、遊技者の持球数を減らすことなく入賞サービス球を得ることができると共に、該入賞サービス球の取り出しも簡単となる。
【図面の簡単な説明】
【図１】  本発明を実施した封入式のパチンコ機の正面図である。
【図２】  図１において、アウト口４４の直前に設けられた球収容凹部３の部分の斜視図である。
【図３】  同じく正面図である。
【図４】  図３のＸ−Ｘ線断面図である。
【図５】  アウト口４４の直前に設けられた球収容凹部３’の部分の正面図である。
【図６】  本発明を実施したパチンコ機において、アウト口４４の直前に配置された係止部材１２の部分の斜視図である。
【図７】  同じく正面図である。
【符号の説明】
Ｂ：アウト球
Ｓ：球検出センサ
１：内レール
３，３’：球収容凹部
１２：係止部材
３３：遊技領域
４４，４４’：アウト口
【図１】
0004399559.tif 000002
【図２】
0004399559.tif 000003
【図３】
0004399559.tif 000004
【図４】
0004399559.tif 000005
【図５】
0004399559.tif 000006
【図６】
0004399559.tif 000007
【図７】
0004399559.tif 000008